(57)【要約】      （修正有）【課題】鼻緒の挿げ替えが容易な鼻緒付履物を提供する。【解決手段】足を乗せる台座１０と、円形壺孔１４、１５を介して台座に挿げられる帯状鼻緒２１、２２とから成る鼻緒付履物である。鼻緒は、一のシートから打ち抜きしたシート状帯片から成って、その帯片を長さ方向中央で折り重ねてその折り端から所要長さ内側を縫合してその縫合部から折り端までを前緒２１とし、縫合部から帯片の両端までを両横緒２２、２２とし、その末端に折り返しからなる輪状部を形成する。台座１０の表面側から、鼻緒の末端輪状部の内側に棒状挿げ具３０の先端を当てがい、その状態で、挿げ具の先端を輪状部を介在して壺孔に挿し通して、その輪状部を台座の裏面側に至らし、その裏面側に至った輪状部に留め具４０を止めた後、鼻緒を引いて留め具を壺孔段部１６に係止して、鼻緒を挿げる。【選択図】図３Ｂ
2016140556.tif 000002
【特許請求の範囲】
【請求項１】
足を乗せる台座（１０）と、その台座（１０）の前部及び後部両側の円形状壺孔（１４、１５）と、その壺孔（１４、１５）を介して前記台座（１０）に挿げられる帯状鼻緒（２０）と、その鼻緒（２０）の末端を台座（１０）に係止する留め具（４０）とから成り、
上記壺孔（１４、１５）は、上記台座（１０）の表面から裏面に貫通してその途中に小径から大径となる段部（１６）を有したものであり、
上記鼻緒（２０）は、シート状帯片を長さ方向中央（ｃ１）で折り重ねてその折り端から所要長さ内側を固着してその固着部から前記折り端までを輪状前緒（２１）とするとともに、前記固着部から前記帯片の両端までを両横緒（２２、２２）とし、その両横緒（２２、２２）の末端を折り返し各横緒（２２、２２）に固着して輪状部（２２ａ）を形成したものであり、
上記前緒（２１）及び横緒（２２）の輪状部（２２ａ）が上記壺孔（１４、１５）に挿げられた際、前記前緒（２１）及び横緒（２２）の輪状部（２２ａ）のシート状帯片断面と壺孔（１４、１５）の断面が挿げ力によって少なくとも一時的に変形して、壺孔（１４、１５）の小径部で前緒（２１）及び横緒（２２）の輪状部（２２ａ）が固定され、上記留め具（４０）がその前緒（２１）及び横緒（２２）の輪状部（２２ａ）に止められて壺孔（１４、１５）の段部（１６）に係止していることを特徴とする鼻緒付履物。
【請求項２】
上記留め具（４０）は、上記円形状壺孔（１４、１５）の大径部に嵌る大きさの円板状であり、上記前緒（２１）及び横緒（２２）の輪状部（２２ａ）の中に挿入される止め片（４１）と、その止め片（４１）の一端から止め片（４１）の両側縁に沿って延びる対の枠片（４２）とから成ることを特徴とする請求項１に記載の鼻緒付履物。
【請求項３】
上記シート状帯片が、表面に柄印刷されたフィルム（２０ａ）と、そのフィルム（２０ａ）の裏面に貼着されたクッション層（２０ｂ）とからなることを特徴とする請求項１又は２に記載の鼻緒付履物。
【請求項４】
請求項３に記載の鼻緒付履物（Ａ）に使用される上記鼻緒（２０）であって、表面に柄印刷されたフィルム（２０ａ）と、そのフィルム（２０ａ）の裏面に貼着されたクッション層（２０ｂ）とからなる一のシートから打ち抜きしたシート状帯片から成り、その帯片を長さ方向中央（ｃ１）で折り重ねてその折り端から所要長さ内側を固着してその固着部から前記折り端までを上記前緒（２１）とするとともに、前記固着部から前記帯片の両端までを上記両横緒（２２、２２）とし、その両横緒（２２、２２）の末端を折り返し各横緒（２２、２２）に固着して上記輪状部（２２ａ）を形成し、
上記輪状前緒（２１）の先端部及び横緒（２２）の末端輪状部（２２ａ）の先端は、挿げ具（３０、３０’）からの挿げ力を受けて台座（１０）に挿し込められる際に破損しないよう壺孔径相当の幅（ｗ）を有した挿げ具受け部（２１ｂ、２２ｂ）を有することを特徴とする鼻緒付履物用鼻緒。
【請求項５】
請求項１乃至３の何れか一つに記載の鼻緒付履物（Ａ）に使用される留め具（４０）であって、上記前緒（２１）及び横緒（２２）の輪状部（２２ａ）の中に挿入される止め片（４１）と、その止め片（４１）の一端から止め片（４１）の両側縁に沿って延びる対の枠片（４２）とから成ることを特徴とする鼻緒付履物用鼻緒留め具。
【請求項６】
請求項１乃至３の何れか一つに記載の鼻緒付履物（Ａ）における上記鼻緒（２０）の台座（１０）への挿げ方法であって、上記前緒（２１）又は横緒（２２）の輪状部（２２ａ）の内側に棒状挿げ具（３０、３０’）の先端を上から押し当てるか、または下から引っ掛け、その状態で、挿げる力で、壺孔（１４、１５）及び前緒（２１）又は輪状部（２２ａ）を少なくとも一時的に変形させて、挿げ具（３０、３０’）の先端を前記前緒（２１）又は輪状部（２２ａ）を介在して上記壺孔（１４、１５）に通して台座（１０）の裏面側に至らせ、その裏面側に至った前緒（２１）又は輪状部（２２ａ）に上記留め具（４０）を止めた後、台座（１０）の表面側から鼻緒（２０）を引いて前記留め具（４０）を上記段部（１６）に係止することを特徴とする鼻緒の挿げ方法。
【請求項７】
請求項６に記載の鼻緒（２０）の挿げ方法に使用する上記挿げ具（３０、３０’）であって、上記壺孔（１４、１５）に貫通可能な小径棒部（３１）と、その小径棒部（３１）に連続する大径の把持部（３２）とからなることを特徴とする鼻緒の挿げ具。
【請求項８】
上記把持部（３２）に上記留め具（４０）が切り離し可能に連結されていることを特徴とする請求項７に記載の鼻緒の挿げ具。
【請求項９】
上記台座（１０）に請求項７又は８に記載の鼻緒用挿げ具（３０）の収納用凹部（１８）を形成したことを特徴とする鼻緒付履物。
【発明の詳細な説明】
【技術分野】
【０００１】
この発明は、下駄、雪駄、草履、サンダル等の鼻緒付履物、その鼻緒付履物を作るための鼻緒付履物セット、同鼻緒、その鼻緒の挿げ具、同鼻緒の末端留め具、同鼻緒の挿げ方法に関するものである。
【背景技術】
【０００２】
鼻緒付履物は、台座に前緒と横緒から成る鼻緒を挿げた上記の下駄や草履やサンダル等の色々な形態のものがあり、５本の足指の間を鼻緒の前緒で割ってその鼻緒で足を台座に固定して履く履物である。その台座の構成素材は木やゴム、ウレタンなどで構成され、鼻緒は昔ながらの紙芯に布を巻いた物から塩化ビニルなどの合成樹脂素材で一体成型したものまで色々の物が市場には出回っている（特許文献１、第二図、特許文献２、第五図、特許文献３、図１、図６、図９、特許文献４、図１等参照）。
【０００３】
このような鼻緒付履物において、その鼻緒の挿げ方法は、履物台座の裏面から鼻緒取付孔（壺孔）を介して管と引き棒からなる挿げ具を下駄の裏から挿し通し、その挿げ具の先端で鼻緒末端を掴み、その状態で、前記挿げ具を履物台座の裏面側に引き抜くことにより、鼻緒末端を履物台座の裏面に導き、その鼻緒末端を履物台座の裏面に係止している（特許文献１、実用新案の性質、作用及び効果の要領等参照）。
【０００４】
その鼻緒末端を履物台座の裏面に係止する手段は、一般的には、履物台座の裏面に導いた鼻緒末端に壺孔より大きい結び玉を形成し，その結び玉を履物台座に係止したり、２つの鼻緒末端同士を互いに結び付ける等したりしている（特許文献３、図１（Ｂ)、図６（Ｂ）、図９（Ｂ）等参照）。
他の係止手段として、鼻緒を、一の帯片を長さ方向中央で折り重ねてその折り端から所要長さ内側を縫着してその縫着部から前記折り端までを前緒とするとともに、前記縫着部から前記帯片の両端までを両横緒とし、その両横緒の末端を折り返し各横緒に縫着して輪状部を形成した構成とし、その各輪状部を各壺孔に通して留め具で係止するものもある（特許文献２、第一図、第五図、特許文献４、図４等参照）。また、鼻緒の末端を壺孔内に接着したりする手段もある（特許文献４、図１０等参照）。
【先行技術文献】
【特許文献】
【０００５】
【特許文献１】昭和５年実用新案出願公告第１２１０号公報
【特許文献２】昭和１７年実用新案出願公告第９１３２号公報
【特許文献３】特開２００１−２２４４０１号公報
【特許文献４】特開２００２−１２５７０１号公報
【発明の概要】
【発明が解決しようとする課題】
【０００６】
ところで、この種の鼻緒付履物において、近年の和風ブームにより、下駄以外にも、その鼻緒に和鼻緒を採用する履物がある。特に、外国人は和鼻緒仕様の履物を好む。その和鼻緒は、紙等を撚った心材を布等のシート状部材で包んだものや、様々な帯状部材を他の素材との組み合わせで鼻緒状に形成させたものがあり、その帯状部材の模様などのデザインを変えることによって履物の趣を変えることができる。
【０００７】
このような帯状部材で構成した鼻緒を、従来から一般的なように、鼻緒末端に結び玉を形成したり、２つの鼻緒末端同士を互いに結び付ける等したりして履物台座に係止する手段は、煩わしい上に、鼻緒取付用壺孔に鼻緒の末端をピッタリ嵌めるには熟練が必要である。ピッタリ嵌らないと、前緒への指の掛かり具合や横緒の甲への掛かり具合がしっくりいかず、履き心地の悪いものとなる。
また、特許文献２の鼻緒挿げの場合、台座の壺孔に対する鼻緒は末端の４つ折り重ね部分以外の鼻緒は柔らかく鼻緒を壺孔の奥まで押し込められないので、台座の壺孔近くで鼻緒が容易に折れ曲がり、履き心地が良くない。つまり、台座の壺孔部分での鼻緒の挿げ部の首は硬く固定されるのが履き心地を良くするものであるのに対して、この点でも満足が得られるものではない。  
【０００８】
この発明は、以上の実状の下、種々のデザインの和鼻緒等を容易に得ることができるとともに、その各デザインの異なる鼻緒の挿げ替えを容易に行えるようにすることを課題とする。
【課題を解決するための手段】
【０００９】
上記課題を達成するために、この発明は、足を乗せる台座と、その台座の前部及び後部両側の円形状壺孔と、その壺孔を介して前記台座に挿げられる帯状鼻緒と、その鼻緒の末端を台座に係止する留め具とから成り、前記壺孔は、前記台座の表面から裏面に貫通してその途中に小径から大径となる段部を有するものであり、前記鼻緒は、シート状帯片を長さ方向中央で折り重ねてその折り端から所要長さ内側を固着してその固着部から前記折り端までを輪状前緒とするとともに、前記固着部から前記帯片の両端までを両横緒とし、その両横緒の末端を折り返し各横緒に固着して輪状部を形成したものであり、前記前緒及び横緒の輪状部が壺孔に挿げられた際、前緒及び横緒の輪状部のシート状帯片断面と壺孔の断面が挿げ力によって少なくとも一時的に変形して、壺孔の小径部で前緒及び横緒の輪状部が固定され、留め具がその前緒及び横緒の輪状部に止められて壺孔の段部に係止している構成を採用したのである。
【００１０】
この構成の鼻緒付履物は、例えば、上記台座の表面側から、輪状前緒又は横緒の末端輪状部の内側に棒状挿げ具の先端を上から押し当てるか、または下から引っ掛け、その状態で、挿げ具の先端を前記前緒又は輪状部を介在して上記壺孔に通してその前緒又は輪状部を台座の裏面側に至らせ、その裏面側に至った前緒又は輪状部に上記留め具を取付けた後、台座の表面側から鼻緒を引いて前記留め具を上記段部に係止することによって、鼻緒を挿げることができる。
このとき、壺孔が円形であるため、帯状鼻緒の前緒及び輪状部を壺孔の内面に沿わせ丸めて貫通させることができるとともに（図３Ａ（ａ）、（ｂ）参照）、横緒の幅方向を足の甲にフィットする任意の方向とし得る。
【００１１】
上記鼻緒は、一のシートから打ち抜きしたシート状帯片とすれば、その製作が容易で安価なものとすることができるとともに、シートは、通常、その表面に印刷などによって種々のデザインを施し易いため、趣の異なる種々のデザインの鼻緒を容易かつ安価に製作することができる。このとき、そのシートを、表面に柄印刷されたフィルムと、そのフィルムの裏面に貼着されたクッション層からなるものとすることができる。そのクッション層はフェルト地などとすることができる。このように、種々のデザインのものを容易に得ることは、和鼻緒も種々のデザインのものを容易に作成できることでもある。
また、輪状前緒の先端及び横緒の末端輪状部の先端は、挿げ具からの挿げ力を受けて台座に挿し込められる際に破損しないよう壺孔径相当の幅を有した挿げ具受け部を有するものとする。
【００１２】
台座にはウレタン素材などの少し柔軟な素材を用いることで、この挿げ作業の時（挿げ時）のみ一時的に壺孔が挿げ時の意識的な強い力で広がり（少なくとも一時的に変形し）、鼻緒を挿げることが容易となる。
このように、シートを縫製等の固着のみで形成した鼻緒を簡単な挿げ具で挿げた後、留め具で固定し、一方、挿げた鼻緒を着脱する場合には、台座の壺孔にある（挿げた）鼻緒を挿げ具でさらに押し込み、留め具を台座の裏から突出させて外すことで、専門知識が無くとも簡単に鼻緒の挿げ替えが可能となるので、色々な鼻緒を自由に交換可能であって、一般の方でも挿げることが可能となる。
これによって、この挿げ作用には熟練を必要としないため、鼻緒を模様などのデザインが種々のものに変えることによって履物の趣を容易に変えることができる。
【００１３】
上記留め具は、上記円形状壺孔の大径部に嵌る大きさの円板状であり、上記輪状前緒又は横緒の輪状部の中に挿入される止め片と、その止め片の一端から止め片の両側縁に沿って延びる対の枠片とから成るため、上記挿げ具によって台座の裏面側に至った鼻緒の末端輪状部にその止め片を容易に嵌めて（入れて）、鼻緒末端に留め具を容易に取り付けることができ、その後、台座の表面側から鼻緒を引けば、円板状留め具が円状壺孔に円滑に入り込んでその段部に係止する。このため、この留め具による台座への鼻緒の末端係止作業は容易である。
【００１４】
上記挿げ具は上記壺孔に輪状部を介在して差し込み得る太さの棒状物であれば何れでも良いが、例えば、前記壺孔に貫通可能な小径棒部と、その小径棒部に連続する大径の把持部とからなる構成のものとすることができる。この構成であれば、握り易い太さの把持部を握って挿げ具を壺孔内に通し得るため、その挿げ作用が容易である。このとき、小径棒部の先端部は鼻緒の先を痛めない角がなく丸みのある形状とするのが好ましい。
この挿げ具において、その把持部に上記留め具が切り離し可能に連結されたものとすることができ、この場合、挿げ具と留め具を樹脂の一体成型品とすることができる。
これらの挿げ具や鼻緒は、台座の凹部に収納し得るようにすれば、台座に挿げている鼻緒を収納している鼻緒に挿げ替えすることができて便利である。
【００１５】
上記構成の鼻緒付履物は、鼻緒を挿げた状態で販売することもできるが、顧客の要望に応じたデザインの台座及び鼻緒を留め具及び挿げ具とともにしたセット物として販売することができる。この場合、顧客が台座に鼻緒を挿げることとなるが、その挿げ作用は、上記のように、非常に容易であるため、熟練を必要とせず、一般人でも容易に行うことができる。
【００１６】
なお、上記のように、特許文献２には、鼻緒の前緒及び横緒の端末を輪状とし、その前緒及び横緒の輪状末端を壺孔に通して留め具（止杆）で台座に係止した鼻緒付履物が開示されている。しかし、この鼻緒付履物は、鼻緒の輪状とした末端を４つ折り重ね（四重）として強度を高めて壺孔に挿入し易くしたもの等と考えられるが、その輪状末端の意義及び鼻緒の挿げ方法が明確ではない。
これに対し、この発明の輪状前緒及び横緒の末端輪状部は、挿げ具を引っ掛けるための工夫であり、また、挿げる力で、壺孔を少なくとも一時的に変形、又は前緒、横緒の輪状部を少なくとも一時的に変形させて、挿げ具の先端を前緒又は輪状部を介在して壺孔に通して台座の裏面側に至らせるため、壺孔に前緒又は輪状部が弾力をもって挿げられ、前緒及び横緒末端が台座の壺孔小径部にしっかり固定される。すなわち、台座の壺孔部分で鼻緒の挿げ部の首が硬く固定されるため、履き心地の良い鼻緒付履物となる。
【発明の効果】
【００１７】
この発明は、以上のように構成したので、種々の趣の鼻緒付履物を容易に製作することができるとともに、一般人であっても、鼻緒の挿げ替えが容易であることから、鼻緒付履物の需要を掘り起こすものとなる。また、挿げ具や留め具も携帯できるため、異なるデザインの鼻緒を携帯すれば、任意の場所でその異なるデザインの鼻緒に挿げ替えることができる。
【図面の簡単な説明】
【００１８】
【図１】この発明に係る鼻緒付履物の一実施形態の斜視図
【図２】同実施形態の台座と鼻緒を分解した斜視図
【図３Ａ】同実施形態の鼻緒の挿げ作用説明図であり、（ａ）は部分切断斜視図、（ｂ）は要部切断平面図
【図３Ｂ】同鼻緒の挿げ作用説明図であり、（ａ）は台座に鼻緒の末端を挿し通して留め具を取付けた状態の要部断面図、（ｂ）は台座に鼻緒を挿げた状態の要部断面図
【図３Ｃ】同鼻緒の挿げ作用説明図であり、（ａ）は前緒の留め具部分の斜視図、（ｂ）は横緒の留め具部分の斜視図
【図４】同実施形態の鼻緒を示し、（ａ）はシートから打ち抜いた状態図、（ｂ）は斜視図、（ｃ）は一部切断図
【図５】同実施形態の挿げ具の斜視図
【図６】同実施形態の留め具の斜視図
【図７】同実施形態の挿げ具の他例の斜視図
【図８】同実施形態の他の鼻緒の挿げ作用説明用部分断面図
【図９】同他の実施形態の部分切断平面図
【発明を実施するための形態】
【００１９】
この発明に係る鼻緒付履物の一実施形態を図１〜図４に示し、この実施形態の履物Ａは、足を載せる台座１０と、その台座１０の上面に取付けた鼻緒２０とからなる下駄仕様の履物であり、台座１０は天然ゴム、コルク、合成樹脂（ＥＶＡ（エチレン・酢酸ビニル共重合樹脂）、ウレタン、合成ゴム、ポリエチレン、塩化ビニルなど）などの弾性素材からなる。
【００２０】
この台座１０は上記のような色々な素材からなって、例えば、ＥＶＡの板のプレス成形や射出成形によって金型により成形し得るため、その金型に、台座１０を有するキャビティを形成し、そのキャビティ内にＥＶＡ板を装填した金型プレス成形又はＥＶＡを射出成形することによってその台座１０を製造する。
【００２１】
台座１０には鼻緒２０の前緒２１及び横緒２２の壺孔１４、１５、１５が形成されており、その壺孔１４、１５に鼻緒２０の前緒２１及び横緒２２の端部（末端）を挿し通して固定する（挿げる）。各壺孔１４、１５は、同一大きさの円形状とされて台座１０の表面から裏面に貫通しており、その途中に小径から大径となる段部１６を有する。
【００２２】
鼻緒２０は、図４（ｃ）に示す、塩化ビニル製フィルム２０ａにフェルト地２０ｂを貼着したシートから打ち抜きによって形成した帯片からなる。その帯片は、中央部が上方に円弧状に湾曲しその両端から下方に円弧状に湾曲した形状をしている（同図（ａ）参照）。その各湾曲度合いは、図１に示す鼻緒２０を台座１０に挿げた際、その湾曲部（横緒２２）の裏面が足の甲表面にピッタリ対応するようにする。実施例では上記素材で説明をしているが、シート打ち抜きが出来る素材であればここで記載の素材に限定する物でなくてもよい。
【００２３】
帯片は、長さ方向中央部ｃ１で折り重ねてその折り端から所要長さ内側を縫合ｄしてその縫合部ｄから前記折り端までを前緒２１とするとともに、前記縫合部ｄから前記帯片の両端までを両横緒２２とし、その両横緒２２の末端をｃ２部分で折り返し各横緒２２に縫合ｄして輪状部２２ａを形成することにより、図４（ｂ）に示す鼻緒２０となる。
上記中央部の輪状部からなる前緒２１の長さは、壺孔１４，１５に挿げた際、台座１０の表面から適切な長さが出るように適宜に設定する。また、横緒２２の末端の輪状部２２ａの大きさは下記留め具４０を止め易いように適宜に設定する。縫合に代えて接着等の種々の固着手段を採用することができる。
また、輪状前緒２１の先端及び横緒２２の末端輪状部２２ａの先端は、挿げ具３０からの挿げ力を受けて台座１０に挿し込められる際に破損しないよう壺孔１４，１５の径相当の幅ｗ（図３Ｂ（ａ）参照）を有した挿げ具受け部２１ｂ、２２ｂを有するものとする（図３Ａ参照）。
【００２４】
この鼻緒２０は、図５に示す挿げ具３０によって台座１０に挿げ、図６に示す留め具４０によってその末端（前緒２１、輪状部２２ａ）が台座１０に係止される。
その挿げ具３０は、樹脂や木又は金属からなり、上記壺孔１４、１５に貫通可能な小径棒部３１と、その小径棒部３１に連続する大径の把持部３２とからなる。小径棒部３１の先端面３１ａは円弧状とされて上記輪状前緒２１及び横緒２２の輪状部２２ａに嵌めた際、それらを傷付けないようになっているとともに壺孔１４、１５に円滑に挿入し得るようになっている。詳しくは、鼻緒２０の先を突き破らず、鼻緒２０の先の幅ｗ部分に包まれるように挿げ具３０の押す力を鼻緒２０の輪状部２１、２２ａ全体に分散させて鼻緒２０を壺孔１４，１５に挿げやすく導くものである。小径棒部３１の長さは壺孔１４、１５を貫通して少し突出する程度とする（図３Ａ参照）。
【００２５】
留め具４０は、上記円形状壺孔１４、１５の大径部に嵌る大きさのナイロン等の樹脂製円板状であり、上記輪状前緒２１及び横緒２２の輪状部２２ａの中に挿入される止め片４１と、その止め片４１の一端から止め片４１の両側縁に沿って延びる対の枠片４２とから成る。その止め片４１を前記輪状前緒２１及び横緒２２の輪状部２２ａの中に挿入すると、図３Ｃに示すように、その止め片４１と枠片４２とで輪状部分の片を挟むこととなって、その輪状部に留め具４０がしっかりと取付けされる。
【００２６】
この実施形態の履物（下駄）Ａは、以上の構成であり、図２に示すように、台座１０、鼻緒２０、挿げ具３０及び留め具４０を用意し、まず、前緒２１に挿げ具３０の小径棒部３１を挿入した後、図３Ａに示すように、その状態でその小径棒部３１を壺孔１４に前緒２１を介在して台座１０の表面から差し込み、その先端を台座１０の裏面から突出させる。
その突出した前緒２１に留め具４０を取付け（図３Ｃ（ａ））、その後、鼻緒２０を台座１０に対して引き上げる。すると、図３Ｂ（ｂ）に示すように、留め具４０は壺孔１４の大径部に入り込んで段部１６に係止し、それ以上の引き上げを阻止して前緒２１の挿げを終了する。
【００２７】
この挿げ作用時、壺孔１４が円形であるため、前緒２１を丸めて貫通させることができる（図３Ａ（ａ）、（ｂ）参照）。また、挿げる力で、壺孔１４及び輪状前緒２１が少なくとも一時的に変形して、挿げ具３０の先端が前緒２１を介在して壺孔１４内面に沿って挿し通されて台座１０の裏面側に至るため、壺孔１４に前緒２１が弾力をもって挿げられ、前緒２１が台座１０（壺孔１４の小径部）にしっかり固定される。
なお、前緒２１を台座１０にしっかり沿って固定するために、壺孔１４の横断面積（図３Ｂ（ｂ）のｘ−ｘ断面積）と前緒２１の挿げた状態の横断面積（同ｘ−ｘ断面積）を実験等によって適宜に設定する。また、輪状前緒２１の先端は、挿げ具３０からの挿げ力を受けて台座１０に挿し込められる際に破損しないよう壺孔１４の径相当の幅を有した挿げ具受け部２１ｂを有するものとする（図３Ａ参照）。
【００２８】
横緒２２の挿げ作用も同様に、その末端輪状部２２ａに挿げ具３０の小径棒部３１を挿入した後、その小径棒部３１を壺孔１５に横緒２２を介在して台座１０の表面から差し込み、その先端を台座１０の裏面から突出させ、その突出した横緒２２の末端輪状部２２ａに留め具４０を取付け（図３Ｃ（ｂ））、その後、鼻緒２０を台座１０に対して引き上げ、留め具４０を壺孔１５の大径部に入り込ませて段部１６に係止し、それ以上の引き上げを阻止して横緒２２の挿げを終了する。
【００２９】
この横緒２２の挿げ作用においても、壺孔１５が円形であるため、横緒２２の末端輪状部２２ａを丸めて貫通させることができるとともに（図３Ａ（ａ）、（ｂ）参照）、横緒２２の幅方向を足の甲にフィットする任意の方向とし得る。また、挿げる力で、壺孔１５及び横緒２２の輪状部２２ａが少なくとも一時的に変形し、壺孔１５に輪状部２２ａが弾力をもって挿げられ、横緒２２が台座１０の小径部にしっかり固定する。このとき、同様に、横緒末端２２ａが台座１０にしっかり沿って固定するために、壺孔１５の横断面積と横緒２２の挿げた状態の横断面積を実験等によって適宜に設定する。
また、横緒２２の末端輪状部２２ａの先端は、挿げ具３０からの挿げ力を受けて台座１０に挿し込められる際に破損しないよう壺孔１５の径相当の幅を有した挿げ具受け部２２ｂを有するものとする（図３Ａ参照）。
【００３０】
以上の作用によって、鼻緒２０の挿げ作用が完了し、履き心地の良い鼻緒付履物Ａとなる。なお、前緒２１、横緒２２の末端（輪状部）２２ａの各壺孔１４，１５への挿げ順序は上記に限らず、任意である。
【００３１】
上記実施形態において、挿げ具４０を樹脂成型品とする場合、図７に示すように、把持部３２に留め具４０を連続して形成することができる。このようにすれば、挿げ具３０と留め具４０が一体物となり、留め具４０の紛失を防止できるとともに、鼻緒２０の挿げ部材を一セットとして販売できる。
また、鼻緒２０の挿げ方法としては、特許文献１記載の方法を採用したり、図８に示すように、フック状先端を有する挿げ具３０’を台座１０の裏面側から壺孔１４、１５に挿し通してフック状先端を前緒２１又は横緒輪状部２２ａに引っ掛けて台座１０の裏面から突出させ、以後、同様に、留め具４０を取付け、鼻緒２０を台座１０に対して引き上げる手段を採用したりすることができる。この場合、挿げ具３０’は強度面から金属製とすることが好ましい。
さらに、図９に示すように、台座１０に蓋１８ａ付の凹部１８を形成し、その凹部１８に、挿げ具３０、留め具４０や鼻緒２０を収納し得るようにすれば、台座１０に挿げている鼻緒２０をその収納している鼻緒２０に挿げ替えすることができる。
【符号の説明】
【００３２】
１０  履物台座
１４、１５  鼻緒の挿げ用壺孔
１６  同壺孔の縮径段部
１８  台座の収納凹部
１８ａ  同凹部の蓋
２０  鼻緒
２０ａ  鼻緒をなすシートの表面フィルム
２０ｂ  同クッション層
２１  前緒
２２  横緒
２２ａ  横緒の末端輪状部
２１ｂ、２２ｂ  鼻緒の挿げ具受け部
３０、３０’  挿げ具
３１  挿げ具の小径棒部
３２  同把持部
４０  留め具
４１  留め具の止め片
４２  同枠片
Ａ  履物  
【図１】
2016140556.tif 000003
【図２】
2016140556.tif 000004
【図３Ａ】
2016140556.tif 000005
【図３Ｂ】
2016140556.tif 000006
【図３Ｃ】
2016140556.tif 000007
【図４】
2016140556.tif 000008
【図５】
2016140556.tif 000009
【図６】
2016140556.tif 000010
【図７】
2016140556.tif 000011
【図８】
2016140556.tif 000012
【図９】
2016140556.tif 000013